【手続補正書】
【提出日】平成20年10月7日(2008.10.7)
【手続補正１】
【補正対象書類名】特許請求の範囲
【補正対象項目名】全文
【補正方法】変更
【補正の内容】
【特許請求の範囲】
【請求項１】
患者体内の壁厚を有する標的部位に留置された、組織内に伝導ブロックを作り出すためのインプラントであって、ここで、該インプラントは、該壁厚の少なくとも一部分に第１瘢痕を途切れなく生成させるための第１瘢痕生成メカニズムと、該壁厚の残りの部分に第２瘢痕を途切れなく生成させるための第２瘢痕生成メカニズムを利用するように構成され、該第１瘢痕生成メカニズムは第２瘢痕生成メカニズムとは異なることを特徴とする、前記インプラント。
【請求項２】
第１瘢痕生成メカニズムにより壁厚の少なくとも一部分に第１瘢痕を途切れなく生成させることが、前記インプラントによる標的組織の機械的な破壊を含む、請求項１に記載のインプラント。
【請求項３】
第２瘢痕生成メカニズムにより壁厚の残りの部分に第２瘢痕を途切れなく生成させることが、薬物の送達を含む、請求項２に記載のインプラント。
【請求項４】
前記薬物はアルキル化剤である、請求項３に記載のインプラント。
【請求項５】
前記薬物は抗生物質である、請求項３に記載のインプラント。
【請求項６】
前記薬物は生分解性高分子である、請求項３に記載のインプラント。
【請求項７】
前記薬物の送達が、該薬物の放出前の生分解性コーティングの分解を含む、請求項３に記載のインプラント。
【請求項８】
第２瘢痕生成メカニズムにより壁厚の残りの部分に第２瘢痕を途切れなく生成させることが、前記インプラントへの焼灼エネルギーの供給を含む、請求項２に記載のインプラント。
【請求項９】
前記インプラントへの焼灼エネルギーの供給が、該インプラントのリード線への焼灼エネルギーの供給を含む、請求項８に記載のインプラント。
【請求項１０】
前記インプラントへの焼灼エネルギーの供給が、該インプラントのリード線への高周波焼灼エネルギーの供給を含む、請求項８に記載のインプラント。
【請求項１１】
第１瘢痕生成メカニズムにより壁厚の少なくとも一部分に第１瘢痕を途切れなく生成させることが第１期間中に行われ、第２瘢痕生成メカニズムにより壁厚の残りの部分に第２瘢痕を途切れなく生成させることが第２期間中に行われる、請求項１に記載のインプラント。
【請求項１２】
第１期間と第２期間は逐次的である、請求項１１に記載のインプラント。
【請求項１３】
第１期間と第２期間は重複する、請求項１１に記載のインプラント。
【請求項１４】
患者体内に瘢痕を生成させるプロテーゼであって、
拡張状態と圧縮状態とを有するプロテーゼ本体;
第1期間中に組織破壊を生成させるために該プロテーゼの表面に配置した第1組織破壊コンポーネント; および
第2期間中に組織破壊を生成させるために該プロテーゼの表面に配置した第2組織破壊コンポーネント;
を含む、前記プロテーゼ。
【請求項１５】
第1組織破壊コンポーネントは機械的組織破壊コンポーネントである、請求項14に記載のプロテーゼ。
【請求項１６】
第2組織破壊コンポーネントは組織炎症性物質型の組織破壊コンポーネントである、請求項14に記載のプロテーゼ。
【請求項１７】
第2組織破壊コンポーネント要素は焼灼エネルギー供給を含む、請求項14に記載のプロテーゼ。
【請求項１８】
第2期間は第1期間と連続する、請求項14に記載のプロテーゼ。
【請求項１９】
第2期間は第1期間の少なくとも一部分と重複する、請求項14に記載のプロテーゼ。
【請求項２０】
前記プロテーゼ本体は複数の支柱を環状線に連結させ、かつ隣接支柱と接触するよう配置させて含む、請求項14に記載のプロテーゼ。
【請求項２１】
患者体内の組織厚を有する標的部位に留置された、組織内に伝導ブロックを作り出すためのインプラントであって、ここで、該インプラントは、該組織厚の少なくとも一部分を破壊するための第１組織破壊メカニズムと、該組織厚の残りの部分を破壊するための第２組織破壊メカニズムを利用するように構成され、該第１組織破壊メカニズムは第２組織破壊メカニズムとは異なることを特徴とする、前記インプラント。
【請求項２２】
第１組織破壊メカニズムにより組織厚の少なくとも一部分を破壊することが第１期間中に行われ、第２組織破壊メカニズムにより組織厚の残りの部分を破壊することが第２期間中に行われる、請求項２１に記載のインプラント。
【請求項２３】
第1期間は第2期間は逐次的である、請求項２２に記載のインプラント。
【請求項２４】
第1期間は第2期間と重複する、請求項２２に記載のインプラント。
【請求項２５】
第1組織破壊メカニズムにより組織厚の少なくとも一部分を破壊することが該組織厚への機械的圧力の印加を含む、請求項21に記載のインプラント。
【請求項２６】
第1組織破壊メカニズムにより組織厚の少なくとも一部分を破壊することが該組織厚への薬物の送達を含む、請求項21に記載のインプラント。
【請求項２７】
第1組織破壊メカニズムにより組織厚の少なくとも一部分を破壊することが前記インプラントへの焼灼エネルギーの印加を含む、請求項21に記載のインプラント。
【請求項２８】
第2組織破壊メカニズムにより組織厚の残りの部分を破壊することが該組織厚への機械的圧力の印加を含む、請求項21に記載のインプラント。
【請求項２９】
第2組織破壊メカニズムにより組織厚の残りの部分を破壊することが該組織厚への薬物の送達を含む、請求項21に記載のインプラント。
【請求項３０】
第2組織破壊メカニズムにより組織厚の残りの部分を破壊することが前記インプラントへの焼灼エネルギーの印加を含む、請求項21に記載のインプラント。
【請求項３１】
前記インプラントが少なくとも部分的に肺静脈内に留置される、請求項21に記載のインプラント。
【請求項３２】
患者体内の壁厚を有する標的部位に留置された、組織内に伝導ブロックを作り出すためのインプラントであって、該インプラントが該壁厚を減少させるための第１組織断裂メカニズムと、該標的部位の残りの壁厚を破壊するための第２組織断裂メカニズムを利用できるように構成され、ここで、該第２組織断裂メカニズムの組織断裂能は該第１組織断裂メカニズムの組織断裂能と反比例することを特徴とする、前記インプラント。
【請求項３３】
第1組織断裂メカニズムは機械的断裂メカニズムである、請求項32に記載のインプラント。
【請求項３４】
第2組織断裂メカニズムは組織破壊性薬物を含む、請求項33に記載のインプラント。
【請求項３５】
機械的断裂メカニズムによって実現される一段と大幅な壁厚の減少により第2組織断裂メカニズムで必要となる組織破壊性薬物の量は少なくなる、請求項34に記載のインプラント。
【請求項３６】
残りの壁厚の破壊は組織破壊性薬物の遅延放出によって実現される、請求項34に記載のインプラント。
【請求項３７】
前記薬物の送達は該薬物の遅延放出を含む、請求項3に記載のインプラント。
【請求項３８】
前記組織炎症性物質型の組織破壊コンポーネントは遅延放出薬物である、請求項16に記載のプロテーゼ。
【請求項３９】
前記組織厚への薬物の送達は該薬物の遅延送達による送達を含む、請求項26に記載のインプラント。
【請求項４０】
拡張状態と圧縮状態とを有する、肺静脈組織壁を貫通する瘢痕線を作り出すためのプロテーゼであって、ここで、
該プロテーゼが拡張状態にあるときにその一部分が該肺静脈口周囲組織の中に圧入されており；
該プロテーゼの該一部分が新生内膜層でほぼ覆われ；および
該プロテーゼの該一部分中に配置された組織破壊性物質の相当部分が、該新生内膜層の形成後に初めて放出される、
ことを特徴とする、前記プロテーゼ。
【請求項４１】
前記相当部分の組織破壊性物質の放出に先立って前記当初部分の組織破壊性物質が放出される、請求項40に記載のプロテーゼ。
【請求項４２】
前記組織破壊性物質は瘢痕生成薬物である、請求項40に記載のプロテーゼ。
【請求項４３】
肺静脈組織壁を貫通する瘢痕線を作り出す装置であって、
拡張状態と圧縮状態とを有する支持構造;
該支持構造の表面に配置した組織契合構造;
該組織契合構造に含ませた組織破壊性物質; および
該組織契合構造を覆う新生内膜層が形成されるまで該組織破壊性物質の相当部分の放出を妨げるための、該組織契合構造が有するバリア構造;
を含む、前記装置。
【請求項４４】
前記バリア構造は前記新生内膜層の形成前に前記組織破壊性物質の当初部分の放出を許容し、該当初部分は相当部分よりも小さい、請求項43に記載の装置。
【請求項４５】
前記組織破壊性物質は瘢痕生成薬物である、請求項43に記載の装置。